(57)【要約】【課題】　傾斜ポールを容易でかつ正確に組立てることのできる、改善された磁気記録／再生装置のポールベース組立体を提供する。【解決手段】　本発明のポールベース組立体は、テープのローディングおよびアンローディング時にヘッドドラムの一側に接近および離隔するように設けられるポールベースと、ポールベースに斜めに形成され、ヘッドドラムに進入するテープを所定角度傾斜するように案内し、ヘッドドラムのリード面と水平をなすように案内する傾斜ポールと、ポールベースに設けられ、傾斜ポールを所定角度傾斜するように支持する支持ホルダーとを含む。【選択図】　　　図７
2004095160.tif 000002
【特許請求の範囲】
【請求項１】
　供給リールから供給され、所定の経路を経たテープをヘッドドラムのリード面に水平に走行するように案内するポールベース組立体において、
　前記テープのローディングおよびアンローディング時に、前記ヘッドドラムの一側に接近および離隔するように設けられるポールベースと；
　前記ポールベースに斜めに形成され、前記ヘッドドラムに進入するテープを所定角度傾斜するように案内し、前記リード面と水平をなすように案内する傾斜ポールと；
　前記ポールベースに設けられ、前記傾斜ポールを所定角度傾斜するように支持する支持ホルダーとを備えることを特徴とする磁気記録／再生装置のポールベース組立体。
【請求項２】
　前記支持ホルダーは、
　前記傾斜ポールを前記傾斜角度で支持するための傾斜面を有する第１の支持壁を含むことを特徴とする請求項１に記載の磁気記録／再生装置のポールベース組立体。
【請求項３】
　前記第１の支持壁は、上部から下部に行くにつれて次第に厚くなることを特徴とする請求項２に記載の磁気記録／再生装置のポールベース組立体。
【請求項４】
　前記傾斜面は、前記傾斜ポールの半径より大きく前記傾斜ポールの直径より小さな幅を有することを特徴とする請求項２に記載の磁気記録／再生装置のポールベース組立体。
【請求項５】
　前記傾斜面は、該傾斜面の長さに沿って一定の幅を有することを特徴とする請求項２に記載の磁気記録／再生装置のポールベース組立体。
【請求項６】
　前記支持ホルダーは、前記傾斜ポールを支持するため、前記第１の支持壁に隣接した支持面を有する第２の支持壁をさらに含むことを特徴とする請求項２に記載の磁気記録／再生装置のポールベース組立体。
【請求項７】
　前記支持面は、前記傾斜面と９０°角度をなすことを特徴とする請求項６に記載の磁気記録／再生装置のポールベース組立体。
【請求項８】
　前記支持面は、前記傾斜ポールの半径よりは大きく直径よりは小さな幅を有することを特徴とする請求項６に記載の磁気記録／再生装置のポールベース組立体。
【請求項９】
　前記支持面は、一定の幅を有することを特徴とする請求項６に記載の磁気記録／再生装置のポールベース組立体。
【請求項１０】
　前記第２の支持壁は、前記傾斜面と並んだサブ傾斜面を有することを特徴とする請求項６に記載の磁気記録／再生装置のポールベース組立体。
【請求項１１】
　前記支持ホルダーは、前記傾斜ポールの下端が接触して支持され、前記傾斜面において９０°角度をなすように連結された底面を含むことを特徴とする請求項２に記載の磁気記録／再生装置のポールベース組立体。
【請求項１２】
　前記ポールベースは、支持ホールと、該支持ホールから離隔した支持ボスを有し、
　前記支持ホルダーの中心から前記支持ボスの中心を結ぶ第１の軸（Ｘ）と、前記支持ホールの中心から延びる第２の軸（Ｙ）と、前記第１および第２の軸（Ｘ、Ｙ）に直交する第３の軸（Ｚ）とがそれぞれ定義されることを特徴とする請求項１に記載の磁気記録／再生装置のポールベース組立体。
【請求項１３】
　前記傾斜ポールは、前記第１の軸（Ｘ）に対する方向角度（Θ）上に位置されることを特徴とする請求項１２に記載の磁気記録／再生装置のポールベース組立体。
【請求項１４】
　前記傾斜ポールは、前記第２の軸（Ｙ）に並んだまた他の仮想軸（Ｙ’）に対して所定の角度（α）をなすように前記ポールベース上に設けられることを特徴とする請求項１に記載の磁気記録／再生装置のポールベース組立体。
【請求項１５】
　前記傾斜ポールは、前記ポールベースに接着剤で付着されることを特徴とする請求項１に記載の磁気記録／再生装置のポールベース組立体。
【請求項１６】
　前記傾斜ポールは、前記ポールベースと一体に形成されることを特徴とする請求項１に記載の磁気記録／再生装置のポールベース組立体。
【発明の詳細な説明】
【技術分野】
【０００１】
　本発明は、磁気記録／再生装置に関し、特に、テープカセットから繰り出されてヘッドドラムに接触するようにローディングされるテープの走行をガイドするための磁気記録／再生装置のポールベース組立体に関する。
【背景技術】
【０００２】
　一般に、磁気記録／再生装置は、磁気テープのような記録媒体に情報を記録し、記録された情報を再生する装置であって、ＶＣＲ、カムコーダなどがある。
【０００３】
　前記磁気記録／再生装置は、ヘッドドラムが回転可能に設けられるメインデッキと、該メインデッキに左右にスライド可能に設けられるメインスライド部材と、メインデッキに上下にスライド可能に設けられるサブデッキと、該サブデッキに装着されるカセットテープを前記メインデッキの所定位置に運ぶ移動手段と、運ばれたカセットテープ内の２つのテープリールがそれぞれ納まり、いずれか一方のテープリールを巻くように駆動されるリールテーブルと、前記メインシャーシに回転可能に設けられ、テープに情報を記録／再生するヘッドドラムと、前記テープをヘッドドラムにローディングさせるテープローディング手段と、テープガイド装置などを備える。
【０００４】
　前記テープガイド装置の一例が図１に示されている。図示されたガイド装置は、ヘッドドラム１０の両側においてテープ（Ｔ）の走行をガイドすることによってテープ（Ｔ）がヘッドドラム１０を取り囲むように走行させる入側ポールベース組立体２０および出側ポールベース組立体３０と、複数のガイドポスト４１、４２、４３、４４を備える。なお、ガイドポスト４２、４３は、メインデッキ１に位置固定され、他のガイドポスト４１、４４は、メインデッキ１上で移動しながらテープ（Ｔ）の走行をガイドすることによってテンションの調整を行う。
【０００５】
　また、それぞれのポールベース組立体２０、３０は、所定の移動手段によってＡ方向に移動されながらテープ（Ｔ）の走行をガイドする。特に、ヘッドドラム１０がメインデッキ１の上に所定角度傾いた状態に設けられるため、ヘッドドラム１０にテープ（Ｔ）を所定角度傾いた状態で走行するようにガイドするためには、各ポールベース組立体２０、３０は、特別の構成を有する必要がある。
【０００６】
　即ち、入側ポールベース組立体２０は、図２に示されたように、ポールベース２１と、回転支持ローラー２３と、傾斜ポール２５とを備える。ヘッドドラム１０が傾斜された状態に設けられるため、回転支持ローラー２３とヘッドドラム１０との間に傾斜ポール２５が回転支持ローラー２３に対して所定角度傾斜するように設けられ、テープ（Ｔ）の平行を維持することになる。
【０００７】
　なお、上記のような構成を有する従来のポールベース組立体は、ポールベース２１を金型で製作の時に傾斜ポール２５が結合される孔を加工し、該孔にポールベース２１を所定角度傾斜するように圧入固定させた。この場合、前記孔の最初加工状態によって圧入される傾斜ポール２５の設置角度が決定されるという問題点がある。従って、前記孔の加工公差によって圧入固定される傾斜ポールの設置角度が一定でなくなるため、不良率が増加し、生産性が低下する問題点がある。
【発明の開示】
【発明が解決しようとする課題】
【０００８】
　本発明は、上記のような問題点を解決するためになされたものであって、本発明の目的は、傾斜ポールを容易でかつ正確に組立てることのできる、改善された磁気記録／再生装置のポールベース組立体を提供することにある。
【課題を解決するための手段】
【０００９】
　前述の目的を達成するための本発明の磁気記録／再生装置のポールベース組立体は、供給リールから供給され、所定の経路を経たテープをヘッドドラムのリード面に水平に走行するように案内するポールベース組立体において、前記テープのローディングおよびアンローディング時に前記ヘッドドラムの一側に接近および離隔するように設けられるポールベースと、前記ポールベースに斜めに形成され、前記ヘッドドラムに進入するテープを所定角度傾斜するように案内し、前記リード面と水平をなすように案内する傾斜ポールと、前記ポールベースに設けられ、前記傾斜ポールを所定角度傾斜するように支持する支持ホルダーとを備えることを特徴とする。
【００１０】
　ここで、前記支持ホルダーは、前記傾斜ポールを前記傾斜角度で支持するための傾斜面を有する第１の支持壁と、前記傾斜ポールを支持するため前記第１の支持壁に隣接した支持面を有する第２の支持壁とを含むことが好ましい。
【００１１】
　また、前記第１の支持壁は、上部から下部に行くにつれて漸次厚くなることが好ましい。また、前記傾斜面は、前記傾斜ポールの半径より大きく前記傾斜ポールの直径より小さな幅を有することが好ましい。
【００１２】
　また、前記傾斜面は、該傾斜面の長さに沿って一定の幅を有することが好ましい。また、前記支持面は、前記傾斜面と９０°角度をなすことが好ましい。また、前記支持面は、前記傾斜ポールの半径よりは大きく直径よりは小さな幅を有することが好ましい。また、前記支持面は、一定の幅を有することが好ましい。また、前記第２の支持壁は、前記傾斜面と並んだサブ傾斜面を有することが好ましい。
【００１３】
　また、前記支持ホルダーは、前記傾斜ポールの下端が接触支持され、前記傾斜面において９０°角度をなすように連結された底面を含むことが好ましい。
【００１４】
　また、前記ポールベースは、支持ホールと、該支持ホールから離隔した支持ボスを有し、前記支持ホルダーの中心から前記支持ボスの中心を結ぶ第１の軸（Ｘ）と、前記支持ホールの中心から延びる第２の軸（Ｙ）と、前記第１および第２の軸（Ｘ、Ｙ）に直交する第３の軸（Ｚ）とがそれぞれ定義されることが好ましい。
【００１５】
　また、前記傾斜ポールは、前記第１の軸（Ｘ）に対する方向角度（Θ）上に位置し、前記第２の軸（Ｙ）に並んだまた他の仮想軸（Ｙ’）に対して所定の角度（α）をなすように設けられることが好ましい。
【００１６】
　また、前記傾斜ポールは、前記第２の軸（Ｙ）に並んだまた他の仮想軸（Ｙ’）に対して所定の角度（α）をなすように前記ポールベース上に設けられることが好ましい。また、前記傾斜ポールは、前記ポールベースに接着剤で付着されることが好ましい。また、前記傾斜ポールは、前記ポールベースに一体に形成されることが好ましい。
【発明の効果】
【００１７】
　本発明の磁気記録／再生装置のポールベース組立体によれば、傾斜ポールをポールベース上に予め設けられた傾斜面に取り付けて組立てる過程において、その傾斜面によって傾斜ポールの傾斜角が自動的に決定されて管理される。従って、不良率が低く、生産性が高くなる効果を奏する。
【発明を実施するための最良の形態】
【００１８】
　以下、添付の図面を参照して本発明の実施例に係る磁気記録／再生装置のポールベース組立体について詳細に説明する。
【実施例】
【００１９】
　図３および図４に示されたように、本発明の実施例に係る磁気記録／再生装置のポールベース組立体は、ポールベース５０と、ポールベース５０上に所定角度傾斜するように設けられる傾斜ポール６０と、傾斜ポール６０を所定角度傾斜するように支持するようにポールベース５０上に設けられる支持ホルダー７０とを備えている。
【００２０】
　ポールベース５０は、テープカセットのローディングおよびアンローディング時にデッキ上に設けられるガイドレールに沿ってヘッドドラムの左側および右側のそれぞれに移動および復帰される。このため、ポールベース５０は、図５に示されたように、ポールベース５０のローディング／アンローディング時に前記ガイドレールに沿ってガイドされるガイド突起５１およびポールベース５０のローディング／アンローディングのためのリンクユニット（図示せず）に連結される支持ボス５２を有する。ガイド突起５１と支持ボス５２は、ポールベース５０の下部面に突出され、互いに離隔するように設けられる。このような構成のポールベース５０のローディング／アンローディング動作は、テープカセットの技術分野において公知のものであるため、詳細な説明は省略する。
【００２１】
　また、ポールベース５０には、テープを所定の姿勢でガイドするための傾斜ポール６０と垂直ポール６３が設けられる。なお、垂直ポール６３は、ポールベース５０に形成された支持ホール５０ａに結合され、ポールベース５０の上面に対して垂直をなすように組立てられる。支持ホール５０ａは、ガイド突起５１の中心に連通するように形成される。支持ホール５０ａに垂直ポール６３がネジ結合または圧入結合され得る。なお、垂直ポール６３は、固定されたポストまたは回転可能なローラーとなり得る。また、傾斜ポール６０に先立ってヘッドドラム側へ供給される磁気テープの走行をガイドする。
【００２２】
　傾斜ポール６０は、ポールベース５０上に所定角度傾斜するように設けられる。即ち、図２に示されたように、ヘッドドラム１０が所定角度傾いた姿勢で設けられるため、ヘッドドラム１０のリード面に水平となるようにガイドし得るように、傾斜ポール６０は、所定の方向に傾斜して設けられる。
【００２３】
　支持ホルダー７０は、ポールベース５０を所定角度傾斜するように支持するためポールベース５０上に設けられる。支持ホルダー７０は、傾斜ポール６０を所定角度傾斜するように支持する傾斜面７１ａを有する第１の支持壁７１と、支持壁７１に連結されて傾斜ポール６０を支持する支持面７３ａを有する第２の支持壁７３とを有する。
【００２４】
　なお、図５および図６を参照して、支持ホール５０ａの中心から支持ボス５２の中心を結ぶ仮想の第１の軸（Ｘ）と、支持ホール５０ａが中心と一致する仮想の第２の軸（Ｙ）と、前記第１および第２の軸（Ｘ、Ｙ）に対して垂直をなす仮想の第３の軸（Ｚ）とからなる三次元座標系を基準にして支持ホルダー７０および傾斜ポール６０の構成および位置を説明する。
【００２５】
　前記三次元座標系上において、傾斜ポール６０は、第１の軸（Ｘ）から所定角度移動された方向角度（Θ）上に位置し、その方向角度（Θ）上において傾斜ポール６０は、第２の軸（Ｙ）と並んだ仮想の軸（Ｙ’）に対して所定の角度傾いた傾斜角（α）を有するようにポールベース５０上に設けられる。このため、前記支持ホルダー７０の傾斜面７１ａは、前記方向角度（Θ）上に位置されるが、前記傾斜角（α）と同一の傾きを有するように形成される。なお、前記方向角度（Θ）および傾斜角（α）は、実際適用される製品のヘッドドラムの傾きに応じて適宜設計されるものであって、特定の角度に限定されない。
【００２６】
　一方、傾斜面７１ａを有する第１の支持壁７１は、傾斜ポール６０の支持力を高くし得るように上端から下端に行くにつれて漸次厚くなるように形成される。また、傾斜面７１ａの幅ｗ１は、傾斜ポール６０の半径ｒよりは大きく直径Ｒよりは小さく形成される。したがって、傾斜ポール６０が安定して傾斜面７１ａに接触支持されるようになる。また、傾斜面７１ａは、その長さ方向、即ち、傾斜ポール６０と並んだ方向に一定の幅ｗ１を有するようになる。
【００２７】
　また、傾斜面７１ａは、第１の軸（Ｘ）を基準にして方向角（α）だけ移動した所定の軸（ｘ’）と前記第２の軸（Ｙ）とがなす平面に対して垂直をなすように形成される。
【００２８】
　また、第２の支持壁７３は、傾斜面７１ａと共に傾斜ポール６０を接触支持する支持面７３ａを有する。支持面７３ａは、傾斜面７１ａと共に「Ｖ」字形状を有する。好ましくは、傾斜ポール６０の安定した支持のため、傾斜面７１ａと９０°角度をなすように形成される。従って、支持面７１ａは、前記第１の軸（Ｘ）と第３の軸（Ｚ）とがなす平面に対して垂直に交叉するようになる。このような支持面７３ａも傾斜面７１ａと同様に傾斜ポール６０の半径ｒよりは大きく直径Ｒよりは小さな幅ｗ２を有する。また、支持面７３ａの幅ｗ２は、傾斜ポール６０に並んだ方向に一定の大きさを有する。
【００２９】
　また、第２の支持壁７３は、傾斜面７１ａに並んだサブ傾斜面７３ｂを有する。サブ傾斜面７３ｂは、支持面７３ａの幅ｗ２を一定に形成することによって傾斜ポール６０が傾斜角（α）と同一の傾きで設けられる。このように、サブ傾斜面７３ｂを設けることによって、支持ホルダー７０に支持された傾斜ポール６０によってガイドされるテープが支持ホルダー７０に干渉されるのを防止し得る。また、第２の支持壁７３は、支持面７３ａと支持面７３ａに対応する外側面７３ｃとの間に一定の厚さを有する。
【００３０】
　このように、傾斜面７１ａと支持面７３ａとの２個所で支持される傾斜ポール６０は、位置および姿勢が自然決定される。
【００３１】
　また、支持ホルダー７０は、傾斜ポール６０の下端を接触支持するための底面７５をさらに含む。底面７５は、ポールベース５０の上面に相当するものであって、傾斜面７１ａに対して所定角度、好ましくは９０°角度をなすように設けられる。従って、傾斜ポール６０は、傾斜面７１ａ、底面７５および支持面７３ａに密着され、位置が安定して固定される。このような構成を有する支持ホルダー７０に傾斜ポール６０は、接着剤、即ち、ボンドなどで接着されて固定される。好ましくは、傾斜面７１ａ、支持面７３ａおよび底面７５のそれぞれに接着剤を施した上で傾斜ポール６０を設けることが好ましい。
【００３２】
　また、支持ホルダー７０は、傾いた状態の傾斜ポール６０より低く形成され、隣接した製品との干渉を避けることが好ましい。但し、支持ホルダー７０、即ち、傾斜面７１ａの長さは、傾斜ポール６０の長さの１／２以上となり、傾斜ポール６０の安定した支持力を確保することが好ましい。
【００３３】
　前述の構成を有する支持ホルダー７０は、ポールベース５０と一体に形成されるのが好ましい。即ち、支持ホルダー７０がポールベース５０と一体に金型または射出成形される場合、傾斜面７１ａ、支持面７３ａおよび底面７５に対する設計公差を最小化することができる。
【００３４】
　以上のように、本発明の実施例に係るテープレコーダーのポールベース組立体では、ポールベース５０に一体に支持ホルダー７０を形成し、傾斜ポール６０を傾斜するように支持し得る。このとき、傾斜面７１ａを含めて支持面７３ａと底面７５によって傾斜ポール６０の位置および姿勢が決定されるため、傾斜ポール６０の組立時、別途の治具や検査装備を用いることなく傾斜ポール６０を支持ホルダー７０に接着させる作業のみで組立てることができる。
【００３５】
　このように傾斜ポール６０を希望の姿勢および位置にポールベース５０に組み込むことができるため、製品の生産性を高くしかつ不良率を低くする利点が得られる。
【００３６】
　また、支持ホルダー７０の傾斜面７１ａ、支持面７３ａおよび底面７５などをポールベース５０に設けられた支持ホール５０ａと支持ボス５２などを用いた所定の三次元座標系を基準にして設計することによって、実際製品の寸法管理が容易で、適用される製品による設計変形が容易であるという利点がある。
【産業上の利用可能性】
【００３７】
　本発明は、ＶＣＲ、カムコダーなどのようなテープレコーダーに適用される。
【図面の簡単な説明】
【００３８】
【図１】従来の磁気記録／再生装置を説明するための概略的な平面図である。
【図２】図１の要部を抜き出して示した部分斜視図である。
【図３】本発明の実施例に係る磁気記録／再生装置のポールベース組立体を示した斜視図である。
【図４】図３のＩ−Ｉ線に沿った断面図である。
【図５】図３のポールベース組立体を示した正面図である。
【図６】図３のポールベース組立体を示した平面図である。
【図７】図６のII−II線に沿った断面図である。
【図８】図３のポールベース組立体を他の角度で見た平面図である。
【符号の説明】
【００３９】
５０　　ポールベース
５０ａ　支持ホール
５１　　ガイド突起
５２　　支持ボス
６０　　傾斜ポール
６３　　垂直ポール
７０　　支持ホルダー
７１、７３　第１および第２の支持壁
７１ａ　傾斜面
７３ｂ　サブ傾斜面
７３ｃ　外側面
７５　　底面
【図１】
2004095160.tif 000003
【図２】
2004095160.tif 000004
【図３】
2004095160.tif 000005
【図４】
2004095160.tif 000006
【図５】
2004095160.tif 000007
【図６】
2004095160.tif 000008
【図７】
2004095160.tif 000009
【図８】
2004095160.tif 000010